(57)【要約】      （修正有）【課題】ベランダ鉢物園芸の鉢倒れを防止し、強い降雨や直射日光から花木を守り楽しむことができる植物花木に関する表示札を提供する。【解決手段】鉢倒れ防止具を鉢の取り外しが簡単にできるバンド方式とし、鉢倒れ防止具に表示札雨日傘が、いつでも立てられる差し立て管棒を取り付ける。また、大型の鉢物や地植えの植物に使用する地中打ち込み式の差し立て管棒杭が、風力でも倒れない深さに打ち込むための杭蓋叩き台座を設置する。差し立てた表示札雨日傘は高さの固定自由回転ができ取り外しも簡単にハンドルを回すだけでできる。【選択図】図４
0003100953.tif 000002
【実用新案登録請求の範囲】
【請求項１】
角棒形などの表示札や形色彩大小絵柄なとの雨日傘の差し立て具を鉢物倒れ防止台座に設置し、札傘部の取り外し高さ調整、向き位置の固定や自由回転できる回転式表示札雨日傘差し立て具。
【請求項２】
請求項１の鉢倒れ防止台座設置の札傘差し立て具を管棒杭にし地中に打ち込む打ち込み台座蓋ひも付きを設置し、打ち込み後台座蓋をはずし回転式表示札や雨日傘を差し立てる構造の表示札雨日傘差し立て具。
【考案の詳細な説明】
【考案の詳細な説明】
【技術分野】
【０００１】本案は、植物植木花木草花の鉢植え地植え物に名前や文言を表記した立て札や雨日傘を差し立てるための鉢物倒れ防止具につけた物と地植え物の倒れ防止棒杭をかねた表示札と降雨直射日差し除けの傘差し立て具棒杭に関するものです。
【背景技術】
【０００２】従来、植物や植木に関する雨除けや直射日除けの傘差し立て具や鉢物倒れ防止具、地植え物の支え棒の打ち込み台蓋つき物は無く、差し立て名札や傘の向き高さの調整、取り外しを自由にしたものもありません。
【考案が解決しようとする課題】
【０００３】  従来の技術で述べた、植物や植木に関する降雨直射日除けは野外放置で済ましてきました。しかし住宅環境が変わり、ベランダ庭園、ベランダ菜園などが盛んに楽しまれる今日。折角育てた鉢物が風力で棚や台から落ちて割れたり、咲きだした花が雨に打たれて散らされたり、直射日光にうたれて枯れる。などの被害は誰でも経験するところです。便利で、楽しく、美しく、安全に解決したい課題です。
【考案が解決するための手段】
【０００４】  上記の鉢物の風害の課題を解決するため、傘差し具の底部の台座板の面積を広くとり、適度の重量のある材料を使用し安定度を高め、鉢は傘差し棒具に設置した円形弾力性鉢形具とバンドで固定します。これで鉢の重みも加わって安定度を増し鉢倒れの問題を解決しています。
【０００５】  この鉢物には、鉢の中に傘差し杭は大型の鉢は別として、使わないことを前提にしています植物の根を傷めるので鉢物倒れ防止具の台座に傘差し棒筒具を付けてあります。この傘差し棒筒に札や傘の軸部を差し込みます。高さ位置固定、回転自由は札傘差し棒筒についているハンドルで調節できます。これで、鉢倒れ、降雨、直射日光の被害から植物を守ることができます。
【０００６】    また、地植えの園芸、菜園には札傘立て棒杭を使用します。この棒杭は花木や野菜の根本に打ち込みます。この棒杭には植物を結わく紐と取り外し自由の杭打ち込み台蓋が設置してあり棒杭は台蓋の上から深く打ち込めるので倒れません。
札や傘の高さ向きの固定回転自由の調節は差し立て棒杭のハンドルで行います。これで、便利で、楽しく、美しく、安全に課題は解決します。
【０００７】  なお、札傘の軸棒は差し立て具の管棒差し立て中棒杭に合わせて制作しています。また札や傘の大きさや形状色彩や絵柄など楽しいデザインの物を制作し、新しい時代の園芸の楽しみ方として受け入れられるものと信じます。
【考案を実施するための最良の形態】
【０００８】    考案の実施の形態を図面により説明します。
図１は鉢倒れ防止台付き台座に設置した表示札雨日傘差し立て具の見取り図
▲１▼は鉢倒れ防止台の枠で▲２▼は底板でこの底板には▲３▼の凸具をつけて置き、この凸具を植木鉢の底の穴に差し込みます。
▲４▼は▲１▼の枠に付けた表示札雨日傘差し立て管棒です。▲５▼は▲４▼の管棒に取り付けた植木鉢の上部を固定する弾力軟骨当て板とその板につけた▲６▼バンドです。このバンドにより完全に鉢倒れが防止できます。▲７▼は上下調整用ハンドルです。
図２は表示札雨日傘差し立て管棒と表示札雨日傘の見取り図
（１）は管棒で図１の▲４▼で、この管棒は二重に成っています。（２）は▲４▼の管棒の中内側に入る管棒で、この管棒の高さは調整後にＡのハンドルで固定します。（２）の管棒のＢは差し立てた表示札や傘の模様の向きの固定、または向き自由回転などの調整ハンドルです。（３）は傘でＣは（２）差し立て管棒に差込む軸部です。
図３は地植え用の表示札雨日傘差し立て管棒杭の見取り図
（イ）は地植え用の表示札雨日傘差し立て管棒杭の外側の管棒杭です。
（ロ）は（イ）中側の管棒杭です。（ハ）は管棒杭の台蓋で打ち込むときは、蓋をして台蓋の上から打ち込みます。（ニ）は表示札雨日傘に使用しないとき蓋して倒れ防止棒として使用します。そのときの結わえ紐です。（ホ）は四角形の表示札でＣは差し立て軸です。
【考案の効果】
【０００９】本考案は上述の通りであります。
【００１０】  本案はベランダ鉢物園芸の鉢倒れ防止、強い降雨や直射日光から花木を守り楽しむことができます。また地植えのバラなど大型の花物には降雨は禁物で雨傘は効果的です。また極度の日光は葉焼けの元になりますので適度に調整出来る日傘は効果的で、なお花木に合ったデザインの傘を選び楽しさも倍加します。
【００１１】  また、鉢倒れ防止や雨日傘の効果とともに、公園や植物園などで、回転式表示札は多角形のものが使用できるので、一面に花の名、二面にその花の俳句、三面にその花の短歌、四面にその花の産地など、一本に棒札に表記でき、これお自由に回転して楽しむことができるので表示札用のみでも地中打ち込み式管棒杭は便利で効果を上げることができます。
【図面の簡単な説明】
【００１２】
【図１】鉢倒れ防止具と台座に設置した回転式表示札雨日傘差し立て具の見取り図  ▲１▼鉢倒れ防止台座  ▲４▼表示札雨日傘差し立て管棒  ▲５▼▲６▼鉢倒れ防止バンド
【図２】地中に立てる管棒杭式の回転式表示札雨日傘差し立て具の見取り図取り図
【図３】地植え用の表示札雨日傘差し立て管棒杭の見取り図  （イ）管棒杭  （ハ）管棒杭打ち込み台蓋  （ホ）回転式四角形の札
【符号の説明】
▲１▼．▲２▼．▲３▼．▲４▼．▲５▼．▲６▼．は図１見取り図の表記符号
（１）．（２）．（３）．は図２見取り図の表記符号
Ａ．Ｂ．Ｃ．Ｄは図２見取り図のハンドルと差し込み軸。
（イ）．（ロ）．（ハ）．（ニ）．（ホ）は図３見取り図の表記符号
【図１】
0003100953.tif 000003
【図２】
0003100953.tif 000004
【図３】
0003100953.tif 000005
【手続補正書】
【提出日】平成15年8月26日(2003.8.26)
【手続補正１】
【補正対象書類名】実用新案登録請求の範囲
【補正対象項目名】全文
【補正方法】変更
【補正の内容】
【実用新案登録請求の範囲】
【請求項１】
角棒形などの表示札や形色彩大小絵柄などの雨日傘の差し立て具を鉢物倒れ防止台座に設置し、札傘部の取り外し高さ調整、向き位置の固定や自由回転できる回転式表示札雨日傘差し立て具。
【請求項２】
請求項１の鉢倒れ防止台座設置の札傘差し立て具を管棒杭にし地中に打ち込む打ち込み台座蓋ひも付きを設置し、打ち込み後台座蓋をはずし回転式表示札や雨日傘を差し立てる構造の表示札雨日傘差し立て具。
【請求項３】
請求項１の鉢倒れ防止台座の底板を水槽とし水入れ口に植物に掛けたこぼれ水が自然に流入する溝や傾斜をつけた鉢置き台水槽と鉢倒れ防止籠形枠。
【手続補正２】
【補正対象書類名】明細書
【補正対象項目名】全文
【補正方法】変更
【補正の内容】
【考案の詳細な説明】
【実用新案登録請求の範囲】
【請求項１】
角棒形などの表示札や形色彩大小絵柄などの雨日傘の差し立て具を鉢物倒れ防止台座に設置し、札傘部の取り外し高さ調整、向き位置の固定や自由回転できる回転式表示札雨日傘差し立て具。
【請求項２】
請求項１の鉢倒れ防止台座設置の札傘差し立て具を管棒杭にし地中に打ち込む打ち込み台座蓋ひも付きを設置し、打ち込み後台座蓋をはずし回転式表示札や雨日傘を差し立てる構造の表示札雨日傘差し立て具。
【請求項３】
請求項１の鉢倒れ防止台座の底板を水槽とし水入れ口に植物に掛けたこぼれ水が自然に流入する溝や傾斜をつけた鉢置き台水槽と鉢倒れ防止籠形枠。
【考案の詳細な説明】
【０００１】
【技術分野】本案は、植物植木花木草花の鉢置き台水槽と、鉢植え地植え物に名前や文言を表記した立て札や雨日傘を差し立てるための鉢物倒れ防止具につけた物と地植え物の倒れ防止棒杭をかねた、表示札と降雨直射日差し除けの傘差し立て具棒杭に関するものです。【０００２】
【背景技術】従来、植物や植木に関する雨除けや直射日除けの傘差し立て具や鉢物倒れ防止具、地植え物の支え棒の打ち込み台蓋つき物は無く、差し立て名札や傘の向き高さの調整、取り外しを自由にしたものもありません。また水槽を鉢置き台にしたものもありません。【０００３】
【考案が解決しようとする課題】
従来の技術で述べた、植物や植木に関する降雨直射日除けは野外放置で済ましてきました。しかし住宅環境が変わり、ベランダ庭園、ベランダ菜園などが盛んに楽しまれる今日。折角育てた鉢物が風力で棚や台から落ちて割れたり、咲きだした花が雨に打たれて散ったり、直射日光にうたれたり、水やりを忘れて枯れる。などの被害は誰でも経験するところです。便利で、楽しく、美しく、安全に解決したい課題です。
【０００４】
【考案が解決するための手段】
上記の鉢物の風害の課題を解決するため、傘差し具の底部の台座板の面積を広くとり、適度の重量のある材料を使用し安定度を高め、鉢は傘差し棒具に設置した円形弾力性鉢形具とバンドで固定します。これで鉢の重みも加わって安定度を増し鉢倒れの問題を解決しています。
【０００５】  なお、傘差し具の底部の台座板をプラスチェクなどの水槽とし、使用中は水をいれ水の重みを利用して、鉢倒れ防止台座板の役目を果たします。また、使用しないときは水を抜けば軽いので移動や保存に便利です。
【０００６】  この水槽の上部に溝や傾斜を水入れ口に向けて設置し、植物散水のこぼれ水などが自然に流入するようにし、鉢置き台としての美観を保ちます。
【０００７】  この水槽式鉢置き台には、鉢は台の水入れ口の真上におけるよう凹みがつけてあります。これは、鉢置き台が暖まると水槽の水が蒸発し自然に植物の乾きを防ぎます。留守にする前に補給しておけば植物を枯らすことはないでしょう。
【０００８】なお、この水槽式鉢置き台は、鉢倒れ防止枠や籠を組み合わせない、単独の鉢置き台として十分に美観や留守中の補水機能などの効果があげられます。
【０００９】  傘差し杭は、大型の鉢は別として鉢の中には使わないことを前提にしていますそれは植物の根を傷めるからです。鉢物倒れ防止具に傘差し棒筒具を付けてあります。この傘差し棒筒に札や傘の軸部を差し込みます。高さ位置固定、回転自由は札傘差し棒筒についているハンドルで調節できます。
これで、鉢倒れ、降雨、直射日光の被害から植物を守ることができます。
【００１０】  また、地植えの園芸、菜園には札傘立て棒杭を使用します。この棒杭は花木や野菜の根本に打ち込みます。この棒杭には植物を結わく紐と取り外し自由の杭打ち込み台蓋が設置してあり棒杭は台蓋の上から深く打ち込めるので倒れません。
札や傘の高さ向きの固定回転自由の調節は差し立て棒杭のハンドルで行います。
これで、便利で、楽しく、美しく、安全に課題は解決します。
【０００７】なお、札傘の軸棒は差し立て具の管棒差し立て中棒杭に合わせて制作しています。また札や傘の大きさや形状色彩や絵柄など楽しいデザインの物を制作し、新しい時代の園芸の楽しみ方として受け入れられるものと信じます。
【０００８】
【考案を実施するための最良の形態】    考案の実施の形態を図面により説明します。
図１は鉢倒れ防止台付き台座に設置した表示札雨日傘差し立て具の見取り図
▲１▼は鉢倒れ防止台の枠で▲２▼は底板でこの底板には▲３▼の凸具をつけて置き、この凸具を植木鉢の底の穴に差し込みます。
▲４▼は▲１▼の枠に付けた表示札雨日傘差し立て管棒です。▲５▼は▲４▼の管棒に取り付けた植木鉢の上部を固定する弾力軟骨当て板とその板につけた▲６▼バンドです。このバンドにより完全に鉢倒れが防止できます。▲７▼は上下調整用ハンドルです。
図２は表示札雨日傘差し立て管棒と表示札雨日傘の見取り図
（１）は管棒で図１の▲４▼で、この管棒は二重に成っています。（２）は▲４▼の管棒の中内側に入る管棒で、この管棒の高さは調整後にＡのハンドルで固定します。
（２）の管棒のＢは差し立てた表示札や傘の模様の向きの固定、または向き自由回転などの調整ハンドルです。（３）は傘でＣは（２）差し立て管棒に差込む軸部です。
図３は地植え用の表示札雨日傘差し立て管棒杭の見取り図
（イ）は地植え用の表示札雨日傘差し立て管棒杭の外側の管棒杭です。
（ロ）は（イ）中側の管棒杭です。（ハ）は管棒杭の台蓋で打ち込むときは、蓋をして台蓋の上から打ち込みます。（ニ）は表示札雨日傘に使用しないとき蓋して倒れ防止棒として使用します。そのときの結わえ紐です。（ホ）は四角形の表示札でＣは差し立て軸です。
図４は、水槽式鉢置き台と鉢倒れ防止籠（カゴ）形具の見取り図
イ．は水槽式鉢置き台。１．は水入れ口。２．は傾斜面と溝。３．は鉢置き位置固定用の凹みで２ないし３段つけ鉢のサイズが何れかに合うようつけてあります。
ロ．は籠形の鉢倒れ防止具。１．は水槽式鉢置き台。２．は表示札雨日傘差し立て管棒。【０００９】
【考案の効果】
本考案は上述の通りであります。
【００１０】本案はベランダ鉢物園芸の鉢倒れ防止、強い降雨や直射日光から花木を守り楽しむことができます。また地植えのバラなど大型の花物には降雨は禁物で雨傘は効果的です。また極度の日光は葉焼けの元になりますので適度に調整出来る日傘は効果的で、なお花木に合ったデザインの傘を選び楽しさも倍加します。
【００１１】  また、鉢倒れ防止や雨日傘の効果とともに、公園や植物園などで、回転式表示札は多角形のものが使用できるので、一面に花の名、二面にその花の俳句、三面にその花の短歌、四面にその花の産地など、一本に棒札に表記でき、これお自由に回転して楽しむことができるので表示札用のみでも地中打ち込み式管棒杭は便利で効果を上げることができます。
【００１２】
【図面の簡単な説明】
【図１】鉢倒れ防止具と台座に設置した回転式表示札雨日傘差し立て具の見取り図  ▲１▼鉢倒れ防止台座．▲４▼表示札雨日傘差し立て管棒．▲５▼▲６▼鉢倒れ防止バンド。
【図２】地中に立てる管棒杭式の回転式表示札雨日傘差し立て具の見取り図取り図
【図３】地植え用の表示札雨日傘差し立て管棒杭の見取り図  （イ）管棒杭．（ハ）管棒杭打ち込み台蓋．（ホ）回転式四角形の札
【図４】図４は、水槽式鉢置き台と鉢倒れ防止籠（カゴ）形具の見取り図  イ．は水槽式鉢置き台１．水入れ口２．傾斜面と溝３．鉢置き位置固定用凹み４．は水槽を室内に置く場合の湿気防止の台木です。  ロ．は籠形の鉢倒れ防止具１．水槽式鉢置き台２．表示札雨日傘差し立て管棒
【符号の説明】
▲１▼．▲２▼．▲３▼．▲４▼．▲５▼．▲６▼．は図１見取り図の表記符号
（１）．（２）．（３）．は図２見取り図の表記符号
Ａ．Ｂ．Ｃ．Ｄは図２見取り図のハンドルと差し込み軸。
（イ）．（ロ）．（ハ）．（ニ）．（ホ）は図３見取り図の表記符号
１．２．３．４．は４図の符号
【手続補正３】
【補正対象書類名】図面
【補正対象項目名】全図
【補正方法】変更
【補正の内容】
【図１】
0003100953.tif 000006
【図２】
0003100953.tif 000007
【図３】
0003100953.tif 000008
【図４】
0003100953.tif 000009
【手続補正書】
【提出日】平成15年11月5日(2003.11.5)
【手続補正１】
【補正対象書類名】手続補正書
【補正対象項目名】手続補正１
【補正方法】削除
【補正の内容】